(57)【要約】【課題】表裏両面において調湿機能を発揮し、調湿機能に優れ、しかも通気性が確保された、多用途の建築板を提供すること。【解決手段】調湿材を含有する調湿ボード２の表面に、複数のスリット３が一定間隔で平行に形成された表面材４が配設され、調湿ボードの表面側に、表面材のスリットと交差し、スリットに連通する複数の表面側凹溝６が一定間隔で平行に形成され、調湿ボードの裏面側にスリットと重ならない位置に複数の裏面側凹溝７が一定間隔で平行に形成され、調湿ボードの全体または一部において表面側凹溝と裏面側凹溝とが連通し、建築板に表面材のスリットから調湿ボードの表面側凹溝および裏面側凹溝を経由して調湿ボードの裏面に抜ける通気路が形成されている。【選択図】図１
2009052316.tif 000002
【特許請求の範囲】
【請求項１】
調湿材を含有し、調湿機能を有する板状に形成された調湿ボードの表面に、複数のスリットが一定間隔で平行に形成された表面材が配設され、調湿ボードの表面側に、表面材のスリットと交差し、スリットに連通する複数の表面側凹溝が一定間隔で平行に形成され、調湿ボードの裏面側にスリットと重ならない位置に複数の裏面側凹溝が一定間隔で平行に形成された建築板であって、調湿ボードの全体または一部において表面側凹溝と裏面側凹溝とが交差し、交差部に孔が形成され、表面側凹溝と裏面側凹溝とが連通し、建築板に表面材のスリットから調湿ボードの表面側凹溝および裏面側凹溝を経由して調湿ボードの裏面に抜ける通気路が形成されていることを特徴とする建築板。
【請求項２】
調湿ボードの裏面に複数のスリットが形成された裏面材が配設され、裏面材のスリットは、調湿ボードの裏面側凹溝と交差し、連通していることを特徴とする請求項１に記載の建築板。
【請求項３】
調湿ボードの裏面に複数の孔が形成された裏面材が配設され、裏面材の孔は、調湿ボードの表面側凹溝と交差しない裏面側凹溝の部分に対向し、裏面側凹溝と連通していることを特徴とする請求項１に記載の建築板。
【発明の詳細な説明】
【技術分野】
【０００１】
本発明は、調湿機能を果たすとともに、通気性を確保した、多用途の建築板に関する。
【背景技術】
【０００２】
室内の湿度変化に対応して、湿度が上昇し過ぎた場合に湿気を吸収し、湿度が下降し過ぎた場合に吸収した水分を放出し、室内の湿度環境を良好に保つ調湿機能が、住宅などの建築物の内壁を形成する壁構造により従来実現されている。
【０００３】
このような壁構造として、調湿材を含有する調湿ボードと、調湿ボードの表面に塗工され、透湿性を有し、厚膜部と薄膜部とが交互に配置された櫛目状接着層と、調湿材を含有する板片状のタイルであって、裏面側に突出し面方向に間隔をあけて配置された複数の突起部を有し、互いの間に間隔をあけて調湿ボードの表面に並べて配置され、突起部が櫛目状接着層に当接して調湿ボードに接合された調湿タイルとを備えたものが知られている（特許文献１）。
【０００４】
上記壁構造では、調湿タイル同士の間に隙間があき、調湿タイルの表面側に存在する室内の空気が隙間から調湿タイルの裏面側へ流通し、また、調湿タイルの裏面側では、調湿タイルの裏面と櫛目状接着層の表面との間に隙間があいているため、空気は、調湿タイルの裏面全体を一方の側辺から他方の側辺まで突起部の間を通って自由に流通することができ、したがって、調湿タイルの全周面が調湿機能を良好に発揮し、上記壁構造の調湿機能は向上している。
【特許文献１】特許第３７７３１８４号公報
【発明の開示】
【発明が解決しようとする課題】
【０００５】
しかしながら、上記壁構造により形成される内壁は、確かに調湿機能の向上は認められるものの、調湿機能は表面でのみ発揮されるに過ぎず、調湿ボードは合板、石膏ボードなどの壁下地材の表面に配設されるので、裏面では調湿機能は実現されない。
【０００６】
しかも、上記壁構造では、通気性について一切配慮がなされてなく、部屋間、部屋と廊下との間などで空気は流通せず、換気のためには、換気口やガラリなどの別の手段を講じなければならない。
【０００７】
本発明は、以上の通りの事情に鑑みてなされたものであり、表裏両面において調湿機能を発揮し、調湿機能に優れ、しかも通気性が確保された、内壁ばかりでなく、収納庫の扉、クローゼット、納戸、食品庫などの内装ドアなどとしても適用することのできる、多用途の建築板を提供することを課題としている。
【課題を解決するための手段】
【０００８】
本発明は、上記の課題を解決するために、以下の特徴を有する。
【０００９】
第１の発明は、調湿材を含有し、調湿機能を有する板状に形成された調湿ボードの表面に、複数のスリットが一定間隔で平行に形成された表面材が配設され、調湿ボードの表面側に、表面材のスリットと交差し、スリットに連通する複数の表面側凹溝が一定間隔で平行に形成され、調湿ボードの裏面側にスリットと重ならない位置に複数の裏面側凹溝が一定間隔で平行に形成された建築板であって、調湿ボードの全体または一部において表面側凹溝と裏面側凹溝とが交差し、交差部に孔が形成され、表面側凹溝と裏面側凹溝とが連通し、建築板に表面材のスリットから調湿ボードの表面側凹溝および裏面側凹溝を経由して調湿ボードの裏面に抜ける通気路が形成されていることを特徴としている。
【００１０】
第２の発明は、上記第１の発明において、調湿ボードの裏面に複数のスリットが形成された裏面材が配設され、裏面材のスリットは、調湿ボードの裏面側凹溝と交差し、連通していることを特徴としている。
【００１１】
第３の発明は、上記第１の発明において、調湿ボードの裏面に複数の孔が形成された裏面材が配設され、裏面材の孔は、調湿ボードの表面側凹溝と交差しない裏面側凹溝の部分に対向し、裏面側凹溝と連通していることを特徴としている。
【発明の効果】
【００１２】
上記第１の発明によれば、調湿材を含有し、調湿機能を有する板状に形成された調湿ボードの表面に、複数のスリットが一定間隔で平行に形成された表面材が配設され、調湿ボードの表面側に、表面材のスリットと交差し、スリットに連通する複数の表面側凹溝が一定間隔で平行に形成され、調湿ボードの裏面側にスリットと重ならない位置に複数の裏面側凹溝が一定間隔で平行に形成された建築板であって、調湿ボードの全体または一部において表面側凹溝と裏面側凹溝とが交差し、交差部に孔が形成され、表面側凹溝と裏面側凹溝とが連通し、建築板に表面材のスリットから調湿ボードの表面側凹溝および裏面側凹溝を経由して調湿ボードの裏面に抜ける通気路が形成されているため、建築板は、表裏両面において調湿機能を発揮することができ、しかも通気路によって十分な通気性を確保している。また、通気路は、建築板の表裏をまっすぐに貫通していないので、孔などとして視認されることがなく、内外ともに素通しにはならず、建築板の外観は良好である。したがって、建築板は、内壁形成用の部材として用いることができるばかりでなく、収納庫の扉、クローゼット、納戸、食品庫などの内装ドア用などの部材として採用することもできる。多用途の建築板が提供される。
【００１３】
上記第２の発明によれば、調湿ボードの裏面に複数のスリットが形成された裏面材が配設され、裏面材のスリットは、調湿ボードの裏面側凹溝と交差し、連通しているので、上記第１の発明の効果に加え、裏面の意匠性も良好であり、付加価値の高い建築板となる。
【００１４】
上記第３の発明によれば、調湿ボードの裏面に複数の孔が形成された裏面材が配設され、裏面材の孔は、調湿ボードの表面側凹溝と交差しない裏面側凹溝の部分に対向し、裏面側凹溝と連通しているので、上記第２の発明と同様に、上記第１の発明の効果に加え、裏面の意匠性も良好であり、付加価値の高い建築板となる。
【発明を実施するための最良の形態】
【００１５】
図１および図２は、本発明の建築板の一実施形態を示した要部斜視図、要部拡大切欠斜視図である。
【００１６】
図１および図２に示した建築板１は、調湿機能を有する調湿ボード２を備えている。調湿ボード２は、珪質頁岩、ゼオライト、セピオライト、シリカゲルなどの各種調湿材を含有し、板状に形成されたものである。調湿ボード２は、たとえば、通常の建築用板材の基材に使用される石膏、セメント、漆喰、セラミックス、木質材、繊維材などの各種基本材料に、粉砕されるなどして粉粒体とされ、または繊維状、ペレット状などに成形された上記調湿材を配合し、通常の建築用板材と同様の工程にしたがって製造することができる。調湿ボード２は、含有する調湿材によって、空気中の湿度変化に応じて空気中から湿気を吸収し、また、吸収した水分を放出し、空気の湿度をコントロールし、調湿機能を果たす。
【００１７】
建築板１では、このような調湿ボード２の表面に、横方向に延びる複数のスリット３が一定間隔で平行に形成された表面材４が配設されている。表面材４には、良好な外観を形成し、付加価値の高い建築板１とするなどのために、木質の薄板や表面に木目模様などの化粧が施された樹脂製の薄板などが好ましく採用される。また、表面材４は、調湿ボード２の表面全面を覆う１枚ものとすることができる他、分割された横長の幅狭の薄板４ａとし、スリット３が形成されるように、一定間隔で離間配置し、調湿ボード２の表面への配設によって表面材４が形成されるようにすることもできる。表面材４を１枚ものとする場合は、表面材４の表裏を貫通するスリット３は、表面材４の周端縁部までにとどめて形成することができる。このような表面材４は、調湿ボード２の表面に接着剤、粘着剤などを用いて固定することができる。必要に応じてビスなどの固定具の使用も可能である。
【００１８】
また、建築板１では、表面材４に形成されたスリット３に対向して調湿ボード２の表面部に、横方向に延びるスリット溝５が一定間隔で平行に形成されている。また、調湿ボード２の表面側には、表面材４のスリット３と直交する、すなわち、縦方向に延びる複数の表面側凹溝６が一定間隔で平行に形成されている。表面側凹溝６は、調湿ボード２の前方に開放しており、したがって、各表面側凹溝６は、全スリット溝５と直交し、スリット溝５は表面材４のスリット３に対向して配置されているので、各表面側凹溝６は、スリット溝５を介して全スリット３と直交し、連通している。
【００１９】
このように、建築板１では、表面側の空気を表面材４のスリット３を通じ、スリット溝５を介して表面側凹溝６に導入することができ、調湿ボード２の空気との接触を可能とし、調湿ボード２による調湿機能を実現させ、表面材４の配設にともなう調湿機能の低下を抑制している。
【００２０】
なお、調湿ボード２の表面部に形成されたスリット溝５は、調湿ボード２の空気との接触をより高めるために形成されているが、表面側凹溝６の本数や大きさなどによって空気との接触を十分に行うことができる場合には省略することもできる。
【００２１】
さらに、建築板１では、調湿ボード２の裏面側に、表面材４のスリット３と同じ横方向に延びる一方、スリット３と重ならない位置に複数の裏面側凹溝７が一定間隔で平行に形成されている。裏面側凹溝７は、調湿ボード２の後方に開放している。
【００２２】
さらにまた、建築板１では、調湿ボード２の裏面に、縦方向に延びる複数のスリット８が一定間隔で平行に形成された裏面材９が配設されている。裏面材９は、薄板状であり、表面材４と同様に、調湿ボード２の表面全面を覆う１枚ものとすることができる他、分割された横長の幅狭の薄板９ａとし、スリット８が形成されるように、一定間隔で離間配置し、調湿ボード２の裏面への配設によって裏面材９が形成されるようにすることもできる。裏面材９の調湿ボード２の裏面への固定は、表面材４と同様にして行うことができる。
【００２３】
調湿ボード２の裏面部には、表面部と同様に、裏面材９に形成されたスリット８に対向して縦方向に延びるスリット溝１０が一定間隔で平行に形成されている。各スリット溝１０は、全裏面側凹溝７と直交している。したがって、裏面材９の各スリット８は、スリット溝１０を介して全裏面側凹溝７と直交し、連通している。
【００２４】
このように、建築板１では、裏面側の空気を裏面材９のスリット８を通じ、スリット溝１０を介して裏面側凹溝７に導入することができ、調湿ボード２の空気との接触を可能とし、調湿ボード２による調湿機能を実現させ、裏面材９の配設にともなう調湿機能の低下を抑制している。したがって、建築板１は、表裏両面において調湿機能を実現し、調湿機能が向上している。
【００２５】
なお、調湿ボード２の裏面部に形成されたスリット溝１０は、調湿ボード２の空気との接触をより高めるために形成されているが、裏面側凹溝７の本数や大きさなどによって空気との接触を十分に行うことができる場合には省略することもできる。
【００２６】
そして、建築板１では、図２に示したように、調湿ボード２の全体または一部において表面側凹溝６と裏面側凹溝７とが交差し、交差部１１に、表面側凹溝６または裏面側凹溝７の内奥底部が切り欠かれて孔１２が形成され、表面側凹溝６と裏面側凹溝７とが連通している。したがって、建築板１では、交差部１１に形成された孔１２を通じて表面側凹溝６と裏面側凹溝７とが連通する部分において、表面側から裏面側に抜ける通気路１３が形成されている。すなわち、通気路１３は、表面材４のスリット３から調湿ボード２のスリット溝５を介して表面側凹溝６に通じ、交差部１１の孔１２を介して裏面側凹溝７に通じ、スリット溝１０を介して裏面材９のスリット８へ抜けている。
【００２７】
このため、建築板１は、上記の通り、表裏両面において優れた調湿機能を果たすものでありながら、表裏両側からの通気を可能とするものであり、通気性を確保している。また、建築板１では、スリット３、スリット溝５、表面側凹溝６、裏面側凹溝７、スリット溝１０、スリット８が、それぞれ上記の通りに配置されているので、通気路１３が建築板１の表裏をまっすぐに貫通していないため、通気路１３は、孔などとして視認されることがなく、内外ともに素通しにはならず、建築板１の外観は良好である。さらに、裏面材９の配設によって裏面の意匠性も良好であり、付加価値の高い建築板となっている。
【００２８】
なお、建築板１では、調湿ボード２に各種の消臭剤を併せて含有させることもできる。消臭剤の含有により建築板１は、表裏両面での調湿機能および通気性に加え、消臭機能も発揮することができる。使用可能な消臭剤は、調湿ボード２の形成などに支障を与えないものである限り、適宜なものを選択することができる。
【００２９】
建築板１では、上記の通り、調湿ボード２における表面側凹溝６と裏面側凹溝７との連通は、調湿ボード２の全体または一部と選択可能である。換気などのために十分な通気量が必要とされる場合には、調湿ボード２の全体において表面側凹溝６と裏面側凹溝７とを交差させ、全ての交差部１１に孔１２を形成させて表面側凹溝６と裏面側凹溝７とを連通させる。
【００３０】
一方、所定の通気量が得られれば十分である場合は、調湿ボード２の一部において表面側凹溝６と裏面側凹溝７とを交差させ、交差部１１に孔１２を形成させて表面側凹溝６と裏面側凹溝７とを連通させる。表面側凹溝６と裏面側凹溝７とを非連通にするには、図３に示したように、たとえば、表面側凹溝６と裏面側凹溝７との深さを浅くするなどして調節し、調湿ボード２に所定の方向に表面側凹溝６および裏面側凹溝７を形成しつつも、互いに連通しないようにすることができる。表面側凹溝６と裏面側凹溝７とを連通させる部分は、建築板１の用途などに応じて適宜決めることができ、建築板１の下端部のみとして建築板１において通気性を有する部分と通気性を有さない部分に分けたり、連通箇所と非連通箇所を交互に規則的にまたはランダムに配置したりするなどその態様は様々である。
【００３１】
図１および図２に示した建築板１では、横方向に延びる複数のスリット３を一定間隔で平行に形成しているが、スリット３の方向は横方向に特定されない。縦方向、右斜め上、右斜め下などの各種の方向が可能である。この場合、調湿ボード２に形成するスリット溝５は、スリット３の方向に対応して所定の方向に定める。また、表面側凹溝６はスリット３およびスリット溝５に必ずしも直交する必要はなく、連通可能な程度に交差していればよく、同様に、裏面側凹溝７は、表面側凹溝６と交差していればよく、スリット３およびスリット溝５と重ならない位置に形成される限り、交差角度は適宜設定することができる。裏面材９に形成する複数のスリット８の方向も同様である。
【００３２】
また、裏面材９には、スリット８に替え、複数の孔を形成して通気路１３が形成されるようにしてもよい。ただし、孔は、調湿ボード２の表面側凹溝６と交差しない裏面側凹溝７の部分に対向させて形成し、裏面側凹溝７と連通させる。このようにすることによって、裏面材９に形成する複数の孔が、調湿ボード２において表面側凹溝６と裏面側凹溝７とが交差する交差部１１に形成された孔１２と重ならず、裏面材９の孔の深さを浅く見せることができ、建築板１の外観が良好となる。裏面材９に複数の孔を形成する場合、調湿ボード２の裏面部にはスリット溝１０を形成しても形成しなくともどちらでもよい。スリット溝１０を形成する場合には、裏面材９の孔はスリット溝１０に対向させる。
【００３３】
さらに、裏面材９は、建築板１の用途などによっては、省略または表面材４よりは簡略化された構成などの品質の異なるものなどを採用することが可能であり、コスト低減などを図ることができる。裏面材９を省略する場合には、調湿ボード２の裏面部のスリット溝１０も省略することができる。
【００３４】
図４は、図１および図２に示した建築板の適用例を示した収納庫の斜視図である。
【００３５】
図４に示した収納庫１４は、たとえば下駄箱などとして使用されるものであり、収納庫１４の前端開口部を開閉する扉１５に建築板１が使用されている。収納庫１４内の湿度を適当にコントロールするとともに、換気することができ、収納庫１４内に収納される各種物品の品質を良好に保持することができる。図４に示したように、建築板１の表面材４に形成されるスリット３は縦方向に配置することができる。収納庫１４では、扉１５は両開き式としているが、片開き式であっても構わない。
【００３６】
図５は、図１および図２に示した建築板の適用例を示した内装ドアの斜視図である。
【００３７】
図５に示した内装ドア１６は、クローゼット、納戸、食品庫などの出入口に配設することができるものであり、建築板１が使用されている。内装ドア１６は、出入口の開口枠に蝶番１７により前後に回動させて開閉することができる。もちろん、蝶番１７を用いずに引き戸とすることもでき、また、内装ドア１６は、居室のドアとしても使用可能である。従来の内装ドアには、室内の換気などのためにアンダーカットを形成したり、ガラリなどを配設したりする必要があったが、建築板１は、上記の通り、通気性を確保しているため、内装ドア１６にそのまままたは若干加工するだけで使用することができる。当然、内装ドア１６は、室内の調湿機能をも果たす。
【００３８】
図６は、図１および図２に示した建築板の適用例を示した内壁の断面図である。図７は、建築板による内壁材を示した斜視図である。
【００３９】
内壁１８は、一定間隔で立設された柱１９および間柱２０の表裏両側に石膏ボードなどの面材２１が配設されて形成されている。図１および図２に示した建築板１による内壁材２２は、面材２１が配設されない柱１９と間柱２０の間に介設されている。
【００４０】
図７に示したように、内壁材２２を構成する建築板１は、下端部に通気性を有し、それ以外の部分が通気性を有していない。すなわち、建築板１では、表面側凹溝６と裏面側凹溝７とは調湿ボード２の下端部のみで交差し、交差部１１に孔１２が形成されて連通し、通気路１３が形成されているのであり、それ以外の部分では表面側凹溝６と裏面側凹溝７とは連通していない。このように、通気性が所定量確保されればよい場合には、表面側凹溝６と裏面側凹溝７とは調湿ボード２の一部において連通させる。このような内壁材２２は、たとえばトイレと廊下との間の内壁の一部や、キッチンとキッチンに隣接するダイニングや廊下などの間の内壁の一部を形成するものとして使用することができる。室内外の換気が可能で、２４時間換気などに好ましく対応することができ、しかも、室内の調湿機能を果たす。
【００４１】
以上のように、図１および図２に示した建築板１の用途は多様である。
【図面の簡単な説明】
【００４２】
【図１】本発明の建築板の一実施形態を示した要部斜視図である。
【図２】図１に示した建築板の要部拡大切欠斜視図である。
【図３】図１に示した建築板の調湿ボードの一部分を示した要部切欠斜視図である。
【図４】図１および図２に示した建築板の適用例を示した収納庫の斜視図である。
【図５】図１および図２に示した建築板の適用例を示した内装ドアの斜視図である。
【図６】図１および図２に示した建築板の適用例を示した内壁の断面図である。
【図７】建築板による内壁材を示した斜視図である。
【符号の説明】
【００４３】
１  建築板
２  調湿ボード
３  スリット
４  表面材
６  表面側凹溝
７  裏面側凹溝
８  スリット
９  裏面材
１１  交差部
１２  孔
１３  通気路
【図１】
2009052316.tif 000003
【図２】
2009052316.tif 000004
【図３】
2009052316.tif 000005
【図４】
2009052316.tif 000006
【図５】
2009052316.tif 000007
【図６】
2009052316.tif 000008
【図７】
2009052316.tif 000009